(57)【要約】【課題】ジャムの発生を回避できるような設定を提示して、ジャムの発生を抑えることができる画像形成装置を提供する。【解決手段】画像形成装置１は、画像処理部２で取得した画像データから算出される印字率、操作部５で設定される用紙種類及び坪量を組み合わせた印刷条件毎に、画像制御ＣＰＵ６６でジャム発生率を算出し、ジャム発生率の高低に基づき、取得した印刷条件が警告対象であるか奨励対象であるか判断し、警告対象である印刷条件に対して、近似の印刷条件で奨励対象である印刷条件を検索して、操作部５に表示する。【選択図】    図１
2012101518.tif 000002
【特許請求の範囲】
【請求項１】
印刷条件を取得する情報取得手段と、
前記情報取得手段で取得される印刷条件でのジャム発生率の算出で参照される管理テーブルが記憶される記憶手段と、
前記管理テーブルを参照して算出したジャム発生率の高低に基づき、印刷条件が警告対象であるか奨励対象であるか判断し、警告対象である印刷条件に対して、近似の印刷条件で奨励対象である印刷条件を検索して提示する制御手段と
を備えたことを特徴とする画像形成装置。
【請求項２】
前記記憶手段は、警告対象である印刷条件に対する近似対象の印刷条件の検索で参照される近似対象テーブルが記憶され、
前記制御手段は、前記近似対象テーブルで特定される検索順位に従い、警告対象である印刷条件に対して近似の印刷条件を検索する
ことを特徴とする請求項１記載の画像形成装置。
【請求項３】
前記記憶手段は、種別の異なる複数の印刷条件に対応して、警告対象である印刷条件に対する近似対象の印刷条件の検索で参照される複数の前記近似対象テーブルが記憶され、
前記制御手段は、予め設定された優先順位に従い、種別の異なる複数の印刷条件に対応したそれぞれの前記近似対象テーブルを参照して、警告対象である印刷条件に対して近似の印刷条件を順次検索する
ことを特徴とする請求項２記載の画像形成装置。
【請求項４】
前記制御手段は、前記近似対象テーブルを参照する優先順位が変更可能に設定される
ことを特徴とする請求項３記載の画像形成装置。
【請求項５】
近似対象の印刷条件が設定される印刷条件は、少なくとも用紙の坪量と用紙の種類を含む
ことを特徴とする請求項３または４に記載の画像形成装置。
【請求項６】
前記管理テーブルは、印刷条件に対応して総印刷回数とジャム発生回数が記憶され、
前記制御手段は、前記管理テーブルを検索して、前記情報取得手段で取得される印刷条件で特定される総印刷回数とジャム発生回数を取得してジャム発生率を算出し、ジャム発生率の高低と総印刷回数の大小に基づき、印刷条件が警告対象であるか奨励対象であるか判断する
ことを特徴とする請求項１〜請求項５のいずれか１項に記載の画像形成装置。
【発明の詳細な説明】
【技術分野】
【０００１】
本発明は、用紙に画像を形成する画像形成装置に関する。
【背景技術】
【０００２】
用紙に画像を形成する画像形成装置では、用紙の紙種や坪量等の印刷条件が原因で、用紙の搬送不良等のジャムが発生する場合がある。ベタ画像に近い、つまり印字率の高い印刷の場合、坪量の小さい用紙では、定着器への巻き付きによるジャムが発生しやすい傾向がある。
【０００３】
例えば、ステープル印刷やくるみ製本印刷を行う場合、全用紙の通紙が正常に行わなければ、印刷物は最終成果物として成り立たない。このような印刷において、一連の画像形成ジョブ中に、ジャムが発生する可能性が高い設定の用紙が１枚でも存在すると、ジャムが発生することによるユーザのダウンタイム発生、印刷失敗によるコストアップ等のジャムリスクが、そのままジョブリスクとなってしまう。
【０００４】
そのため、用紙の種類等に応じてジャム発生頻度を管理し、ジャムが頻発する際はその旨をユーザに警告する必要がある。そこで、ジャム発生率を算出して警告を出す技術が提案されている（例えば、特許文献１参照）。また、ジャムが発生したことを示す履歴を記憶し、警告を出す技術が提案されている（例えば、特許文献２，３参照）。
【先行技術文献】
【特許文献】
【０００５】
【特許文献１】特開２０００−２９３０７０号公報
【特許文献２】特開２００７−０８３４６０号公報
【特許文献３】特開２００６−２９７６５４号公報
【発明の概要】
【発明が解決しようとする課題】
【０００６】
各文献に記載された従来の画像形成装置では、ジャムが頻発する設定を警告として表示することはできる。しかし、警告対象の設定をどう変更すればジャムを回避できるのか、ユーザが判断しなければならず、利便性が向上しない。また、ユーザによる誤設定があると、結果として、ジャムの要因となってしまう。
【０００７】
本発明は、このような課題を解決するためになされたもので、ジャムの発生を回避できるような設定を提示して、ジャムの発生を抑えることができる画像形成装置を提供することを目的とする。
【課題を解決するための手段】
【０００８】
上述した課題を解決するため、請求項１に記載の発明は、印刷条件を取得する情報取得手段と、情報取得手段で取得される印刷条件でのジャム発生率の算出で参照される管理テーブルが記憶される記憶手段と、管理テーブルを参照して算出したジャム発生率の高低に基づき、印刷条件が警告対象であるか奨励対象であるか判断し、警告対象である印刷条件に対して、近似の印刷条件で奨励対象である印刷条件を検索して提示する制御手段とを備えた画像形成装置である。
【０００９】
請求項１に記載の発明では、取得した印刷条件におけるジャム発生率が警告条件を満たすと、予め設定された代替が可能な近似の印刷条件を検索し、近似の印刷条件でのジャム発生率が奨励条件を満たすものがあるか判断し、奨励条件を満たす近似の印刷条件を検知すると、該当する印刷条件をジャム発生の可能性を回避する情報として提示する。
【００１０】
請求項２に記載の発明は、記憶手段は、警告対象である印刷条件に対する近似対象の印刷条件の検索で参照される近似対象テーブルが記憶され、制御手段は、近似対象テーブルで特定される検索順位に従い、警告対象である印刷条件に対して近似の印刷条件を検索する請求項１に記載の画像形成装置である。
【００１１】
請求項３に記載の発明は、記憶手段は、種別の異なる複数の印刷条件に対応して、警告対象である印刷条件に対する近似対象の印刷条件の検索で参照される複数の近似対象テーブルが記憶され、制御手段は、予め設定された優先順位に従い、種別の異なる複数の印刷条件に対応したそれぞれの近似対象テーブルを参照して、警告対象である印刷条件に対して近似の印刷条件を順次検索する請求項２に記載の画像形成装置である。
【００１２】
請求項４に記載の発明は、制御手段は、近似対象テーブルを参照する優先順位が変更可能に設定される請求項３に記載の画像形成装置である。
【００１３】
請求項５に記載の発明は、近似対象の印刷条件が設定される印刷条件は、少なくとも用紙の坪量と用紙の種類を含む請求項３または請求項４に記載の画像形成装置である。
【００１４】
請求項６に記載の発明は、管理テーブルは、印刷条件に対応して総印刷回数とジャム発生回数が記憶され、制御手段は、管理テーブルを検索して、情報取得手段で取得される印刷条件で特定される総印刷回数とジャム発生回数を取得してジャム発生率を算出し、ジャム発生率の高低と総印刷回数の大小に基づき、印刷条件が警告対象であるか奨励対象であるか判断する請求項１〜請求項５のいずれか１項に記載の画像形成装置である。
【発明の効果】
【００１５】
本発明の画像形成装置によれば、画像の形成時に用紙の搬送不良等のジャムが発生しやすい印刷条件が設定されていることを警告すると同時に、ジャムの発生を回避するための推奨対象の印刷条件を、過去のジャム発生率の高低に基づき正常通紙の実績からユーザに提示することができる。
【００１６】
これにより、ジャムの発生が抑えられ、ジャムの発生による印刷停止時間が軽減されて、印刷時における信頼性が向上する。また、ユーザにより設定された当初の印刷条件に対して近似の印刷条件で、ジャム発生率が当初の設定より低い印刷条件を提示できるので、ユーザによる再設定の手間を省き、また、ユーザによる誤設定を防いで、確実にジャムの発生を抑えることができる。
【図面の簡単な説明】
【００１７】
【図１】本実施の形態の画像形成装置の一例を示す機能ブロック図である。
【図２】管理テーブルの一例を示す表図である。
【図３】近似対象テーブルの一例を示す表図である。
【図４】ジャム発生率を算出する処理の一例を示すフローチャートである。
【図５】ジャム発生率を算出する処理の一例を示すフローチャートである。
【図６】奨励設定チェック処理の一例を示すフローチャートである。
【図７】優先順位設定画面の一例を示す説明図である。
【図８】坪量奨励設定チェック処理の一例を示すフローチャートである。
【図９】坪量奨励設定チェック処理の一例を示すフローチャートである。
【図１０】坪量奨励設定チェック処理の一例を示すフローチャートである。
【図１１】用紙種類奨励設定チェック処理の一例を示すフローチャートである。
【図１２】ジャム発生回数の再計算処理の一例を示すフローチャートである。
【図１３】画面表示例を示す説明図である。
【図１４】画面表示例を示す説明図である。
【図１５】画面表示例を示す説明図である。
【図１６】画面表示例を示す説明図である。
【発明を実施するための形態】
【００１８】
以下、図面を参照して、本発明の画像形成装置の実施の形態について説明する。
【００１９】
＜本実施の形態の画像形成装置の構成例＞
図１は、本実施の形態の画像形成装置の一例を示す機能ブロック図である。本実施の形態の画像形成装置１は、外部機器から画像データを取得する画像処理部２と、画像の読み取りを行うスキャナ部３と、画像を形成するプリンタ部４を備える。また、画像形成装置１は、印刷条件の設定等が行われる操作部５と、画像処理部２またはスキャナ部３で画像データを取得し、操作部５で設定された印刷条件に従いプリンタ部４で印刷を行う制御部６を備える。
【００２０】
画像処理部（プリント・スキャナコントローラ）２は、画像メモリ２０と、ＤＲＡＭ制御ＩＣ２１と、ＬＡＮ  Ｉ／Ｆ２２及びコントローラ制御ＣＰＵ２３を備える。
【００２１】
画像メモリ２０は本例ではＤＲＡＭ（dynamic random access memory）で構成され、ＤＲＡＭ制御ＩＣ（integrated circuit）２１は、画像メモリ２０への画像データの書き込み及び読み出しを行う。ＤＲＡＭ制御ＩＣ２１と装置本体１１の制御部６は、ＰＣＩ（peripheral component interconnect）バス１２で接続される。
【００２２】
ＬＡＮ（local area network）Ｉ／Ｆ２２は、図示しないネットワークと画像形成装置１を接続する。コントローラ制御ＣＰＵ（central processing unit）２３は、ネットワークに接続された図示しないパーソナルコンピュータ等の外部機器と画像形成装置１の間で画像データの送受を行う。
【００２３】
スキャナ部３は、イメージセンサを構成するＣＣＤ（charge coupled device）３０と、スキャナ制御部３１を備える。プリンタ部４は、露光装置を構成するレーザダイオード（ＬＤ：laser diode）４０と、プリンタ制御部４１を備える。操作部５は、タッチパネルを有して表示部を構成する液晶ディスプレイ（ＬＣＤ：liquid crystal display）５０と、操作部制御部５１を備える。
【００２４】
制御部６は、読取処理部６０と、圧縮ＩＣ６１と、ＤＲＡＭ制御ＩＣ６２と、画像メモリ６３と、伸長ＩＣ６４と、書込処理部６５と、画像制御ＣＰＵ６６と、不揮発メモリ６７を備える。
【００２５】
読取処理部６０は、ＣＣＤ３０から出力される画像データのアナログ−デジタル変換等の処理を行う。圧縮ＩＣ６１は、画像データを所定の形態で圧縮する。ＤＲＡＭ制御ＩＣ６２は、画像メモリ６３への画像データの書き込みおよび読み出しを行う。
【００２６】
画像メモリ６３はＤＲＡＭで構成され、圧縮された画像データを記憶する圧縮メモリ６３ａと所定単位で画像データを記憶するページメモリ６３ｂを備える。伸長ＩＣ６４は、圧縮された画像データを伸長する。書込処理部６５は、画像データのデジタル−アナログ変換等の処理を行い、レーザダイオード４０に出力する。
【００２７】
画像制御ＣＰＵ６６は制御手段の一例で、スキャナ制御部３１及びプリンタ制御部４１を制御して、画像データの取得および印刷を行う。また、操作部制御部５１を制御して液晶ディスプレイ５０の表示を行う。
【００２８】
更に、画像制御ＣＰＵ６６は、用紙の種類等の印刷条件毎に算出されるジャム発生率の高低に基づき、印刷条件が警告対象であるか奨励対象であるか判断し、警告対象である印刷条件に対して、近似の印刷条件で奨励対象である印刷条件を検索して提示する。
【００２９】
不揮発メモリ６７は記憶手段の一例で、画像制御ＣＰＵ６６で実行されるプログラム等が記憶される。また、不揮発メモリ６７は、画像制御ＣＰＵ６６が警告対象である印刷条件と奨励対象である印刷条件を判断する処理で参照される管理テーブルと、近似の印刷条件を検索する処理で参照される近似対象テーブルが記憶される。
【００３０】
図２は、管理テーブルの一例を示す表図である。管理テーブル１００は、予め設定された印刷条件と、単一の印刷条件、または、複数の印刷条件の組み合わせにおけるジャム発生率の算出で用いられる管理情報が対応付けられて記憶される。
【００３１】
図１に示す画像形成装置１では、画像処理部２等で取得した画像データが、操作部５で選択された紙種及び坪量等に応じた用紙に印刷される。プリンタ部４で画像データの印刷を行う際に、用紙の搬送不良等によるジャム発生率は、用紙の紙種及び坪量と、用紙に印刷される文字等の量によって変化する。
【００３２】
そこで、管理テーブル１００は、印刷条件の一例として、用紙に印刷される文字等の量を示す印字率Ｄａと、用紙種類Ｄｂ及び用紙の坪量Ｄｃの値が、予め想定される組み合わせで記憶される。
【００３３】
また、管理テーブル１００は、画像形成装置１で設定される印刷条件におけるジャム発生率を算出する管理情報として、印刷の実行で更新される総印刷回数Ｄｄと、ジャムの発生で更新されるジャム発生回数Ｄｅが記憶される。本例では、印字率Ｄａと用紙種類Ｄｂと坪量Ｄｃの組み合わせ毎に、総印刷回数Ｄｄとジャム発生回数Ｄｅが記憶される。
【００３４】
図３は、近似対象テーブルの一例を示す表図で、図３（ａ）は、坪量近似対象テーブルの一例を示し、図３（ｂ）は、用紙種類近似対象テーブルの一例を示す。
【００３５】
図１に示す画像形成装置１では、印字率Ｄａと用紙種類Ｄｂ及び坪量Ｄｃで印刷条件が特定される、これら印刷条件の中で、印字率Ｄａは、画像データによって変動する値である。そこで、本例では、用紙種類Ｄｂと坪量Ｄｃのどちらか一方、あるいは用紙種類Ｄｂと坪量Ｄｃの両方について、代替可能な近似の設定を検索できるようにする。
【００３６】
坪量近似対象テーブル１０１は、印刷条件として設定が想定される用紙の坪量Ｄｃが、近似対象の坪量として記憶される。本例では、実際に使用される用紙の坪量に合わせて予め設定される所定の範囲毎に区分された坪量が記憶される。
【００３７】
用紙種類近似対象テーブル１０２は、印刷条件として設定が想定される各用紙種類Ｄｂについて、近似対象の用紙種類が対応付けられて記憶される。近似対象の用紙種類としては、代替可能な単一の用紙種類が記憶される。また、代替可能な複数の用紙種類が優先順位を設定されて記憶される。
【００３８】
次に、図１を参照して、画像形成装置１における画像データの流れについて説明する。まず、画像形成装置１をコピー機あるいはスキャナとして使用するため、原稿から画像データを読み込む場合は、ＣＣＤ３０で読み込んだ画像データを読取処理部６０で処理し、圧縮ＩＣ６１で圧縮してＤＲＡＭ制御ＩＣ６２により画像メモリ６３の圧縮メモリ６３ａに記憶する。
【００３９】
画像形成装置１をプリンタとして使用するため、パーソナルコンピュータ等の端末から電子化された画像データを読み込む場合は、画像データをまず画像処理部２の画像メモリ２０に記憶する。画像メモリ２０に記憶された画像データを画像処理部２のＤＲＡＭ制御ＩＣ２１で読み出し、ＰＣＩバス７０で制御部６に送り、ＤＲＡＭ制御ＩＣ６２により画像メモリ６３のページメモリ６３ｂに記憶する。ページメモリ６３ｂに記憶された画像データをＤＲＡＭ制御ＩＣ６２により読み出し、圧縮ＩＣ６１で圧縮してＤＲＡＭ制御ＩＣ６２により画像メモリ６３の圧縮メモリ６３ａに記憶する。
【００４０】
画像形成装置１をコピー機あるいはプリンタとして使用するため、用紙に画像データを出力する場合は、画像メモリ６３の圧縮メモリ６３ａに記憶された画像データをＤＲＡＭ制御ＩＣ６２で読み出し、伸長ＩＣ６４で伸長して書込処理部６５でレーザダイオード４０に送り、用紙に印刷する。
【００４１】
＜本実施の形態の画像制御ＣＰＵの機能例＞
まず、画像制御ＣＰＵ６６の機能の概要を説明すると、画像制御ＣＰＵ６６は、情報取得手段としての操作部５での設定等で取得した印刷条件で管理テーブル１００を検索し、該当する印刷条件におけるジャム発生率Ｅを算出する。
【００４２】
画像制御ＣＰＵ６６は、算出したジャム発生率Ｅが所定の警告条件を満たすと判断すると、坪量近似対象テーブル１０１と用紙種類近似対象テーブル１０２のいずれか、あるいは両方を検索して近似の印刷条件を取得し、近似の印刷条件におけるジャム発生率Ｅを算出する。
【００４３】
そして、画像制御ＣＰＵ６６は、近似の印刷条件におけるジャム発生率Ｅが所定の奨励条件を満たすと判断すると、操作部制御部５１を制御して液晶ディスプレイ５０の表示等により、近似の印刷条件で奨励対象であると判断された印刷条件の設定を提示する。
【００４４】
次に、画像制御ＣＰＵ６６の機能の詳細を説明する。画像制御ＣＰＵ６６は、プリンタ部４で印刷を実行する際に、情報取得手段としての画像処理部２等で取得した画像データから算出される印字率Ｄａと、操作部５で設定される用紙種類Ｄｂと用紙の坪量Ｄｃを取得する。
【００４５】
画像制御ＣＰＵ６６は、印字率Ｄａと用紙種類Ｄｂ及び坪量Ｄｃの組み合わせで特定される印刷条件で管理テーブル１００を検索して、印刷条件に該当する総印刷回数Ｄｄとジャム発生回数Ｄｅを取得する。
【００４６】
そして、画像制御ＣＰＵ６６は、印字率Ｄａと用紙種類Ｄｂ及び坪量Ｄｃの組み合わせで特定される印刷条件におけるジャム発生率Ｅを、以下の（１）式で求める。
【００４７】
【数１】
2012101518.tif 000003
【００４８】
画像制御ＣＰＵ６６は、上述した（１）式で算出されたジャム発生率Ｅが高い印刷条件については警告を提示すると共に、ジャム発生率が低い代替の印刷条件を提示できるようにするため、警告対象の有無を判断するジャム発生率Ｅの閾値Ｔｈが設定される。
【００４９】
画像制御ＣＰＵ６６は、管理テーブル１００を検索して算出したジャム発生率Ｅと警告閾値Ｔｈを比較することで、プリンタ部４で印刷を実行する際に取得した印字率Ｄａと用紙種類Ｄｂ及び坪量Ｄｃの組み合わせで特定される印刷条件が、警告対象であるか奨励対象であるか判断する。
【００５０】
すなわち、画像制御ＣＰＵ６６は、印字率Ｄａと用紙種類Ｄｂ及び坪量Ｄｃの組み合わせで特定される印刷条件におけるジャム発生率Ｅが、所定の警告閾値Ｔｈ以上であることを検知すると、警告条件を満たすと判断し、警告条件を満たす印刷条件の設定を警告対象とする。これに対し、ジャム発生率Ｅが警告閾値Ｔｈ未満であることを検知すると、奨励条件を満たすと判断し、奨励条件を満たす印刷条件を奨励対象とする。
【００５１】
また、画像制御ＣＰＵ６６は、警告対象であると判断した印刷条件の代替となる近似の印刷条件において、ジャム発生率Ｅが警告閾値Ｔｈ未満であり、かつ、総印刷回数Ｄｄが一定数以上であるかの調査を行う。
【００５２】
このため、画像制御ＣＰＵ６６は、警告対象である印刷条件に対する代替の印刷条件として、予め定められた近似の印刷条件を検索する。本例では、印字率Ｄａと用紙種類Ｄｂ及び坪量Ｄｃで特定される印刷条件について、坪量近似対象テーブル１０１を検索して近似対象の坪量Ｄｃを取得すると共に、用紙種類近似対象テーブル１０２を検索して近似対象の用紙種類Ｄｂを取得する。
【００５３】
画像制御ＣＰＵ６６は、坪量近似対象テーブル１０１を参照して近似対象の坪量Ｄｃを検索する規則が、以下に示すように設定される。
（１−ａ）警告対象の坪量より１段階大きい坪量を近似対象とする。
（２−ａ）近似対象の坪量で算出されるジャム発生率Ｅが警告対象であると、当初の警告対象の坪量より１段階小さい坪量を近似対象とする。
（３−ａ）近似対象となる坪量が存在しない場合は、奨励対象の条件を満たさないものとして扱う。
【００５４】
また、画像制御ＣＰＵ６６は、用紙種類近似対象テーブル１０２で特定される優先順位に従い用紙種類近似対象テーブル１０２を参照して、以下に示すように近似対象の用紙種類Ｄｂを検索する。
（１−ｂ）警告対象である用紙種類Ｄｂの項目において、優先順位がＭ番（Ｍ＝１，２，・・・，ｎ）である近似対象Ｎｏ．Ｍの用紙種類を近似対象とする。まず、優先順位が１番である近似対象Ｎ０．１の用紙種類を近似対象とする。
（２−ｂ）近似対象Ｎ０．Ｍの用紙種類で算出されるジャム発生率Ｅが警告対象であると、優先順位がＭ＋１番である近似対象Ｎ０．Ｍ＋１の用紙種類を近似対象とする。
（３−ｂ）以降、近似対象の用紙種類が存在しなくなるまで検索を行う。
【００５５】
画像制御ＣＰＵ６６は、坪量近似対象テーブル１０１と用紙種類近似対象テーブル１０２のいずれか、あるいは両方を参照して取得した近似対象の印刷条件について、ジャム発生率Ｅが警告閾値Ｔｈ未満であり、かつ、総印刷回数Ｄｄが一定数以上であるかの調査を順次行う。
【００５６】
画像制御ＣＰＵ６６は、近似対象の印刷条件において、ジャム発生率Ｅが警告閾値Ｔｈ未満で、かつ、総印刷回数Ｄｄが一定数以上である印刷条件があると判断すると、この印刷条件を奨励対象として調査を終了する。
【００５７】
そして、奨励対象とした印刷条件の設定値を警告対象の印刷条件の設定値と共に操作部５の液晶ディスプレイ５０に表示して、画像形成装置１の操作者に提示する。これに対し、全ての近似対象の印刷条件を調査して、ジャム発生率Ｅが警告閾値Ｔｈ未満で、かつ、総印刷回数Ｄｄが一定数以上である印刷条件が無いと判断すると、奨励対象の印刷条件が無いとして警告対象の設定値のみを提示する。
【００５８】
＜本実施の形態の画像形成装置の動作例＞
次に、各図を参照して、本実施の形態の画像形成装置１の動作について説明する。
【００５９】
（Ａ）ジャム発生率の算出処理
図４及び図５は、ジャム発生率を算出する処理の一例を示すフローチャートであり、まず、ジャム発生率を算出する処理について、各図を参照して説明する。
【００６０】
画像制御ＣＰＵ６６は、図１に示す操作部５等で指定されたＮ枚（Ｎ＝１〜ｍ枚）の用紙（シート）に対してプリンタ部４で印刷を行う際に、１枚目に指定された用紙からジャム発生率Ｅをチェックするため、図４のステップＳＡ１で、用紙Ｎｏ．＝１にセットし、ステップＳＡ２で、警告表示フラグをリセットしてＯＦＦにする。
【００６１】
画像制御ＣＰＵ６６は、ステップＳＡ３で、画像処理部２等で取得した画像データから算出される印字率Ｄａと、操作部５で設定される用紙種類Ｄｂと用紙の坪量Ｄｃを取得する。チェック対象が１枚目の用紙であれば、１枚目の用紙に印刷される画像データから算出される印字率Ｄａと、操作部５で設定される１枚目の用紙の用紙種類Ｄｂと用紙の坪量Ｄｃを取得する。
【００６２】
画像制御ＣＰＵ６６は、ステップＳＡ４で、印字率Ｄａと用紙種類Ｄｂ及び坪量Ｄｃの組み合わせで特定される印刷条件で管理テーブル１００を検索して、チェック対象の用紙に対して設定された印刷条件に該当する総印刷回数Ｄｄとジャム発生回数Ｄｅを取得する。
【００６３】
画像制御ＣＰＵ６６は、ステップＳＡ５で、チェック対象の用紙に対して設定された印刷条件での総印刷回数Ｄｄが、規定値以上であるか判断する。この判断は、総印刷回数Ｄｄが少ないとジャム発生率が高く算出される等、ジャム発生率の精度が低くなるために行われる。
【００６４】
画像制御ＣＰＵ６６は、上述したステップＳＡ５で、総印刷回数Ｄｄが規定値以上であると判断すると、ステップＳＡ６で、チェック対象の用紙に対して設定された印字率Ｄａと用紙種類Ｄｂ及び坪量Ｄｃの組み合わせで特定される印刷条件でのジャム発生率Ｅを、上述した（１）式で算出する。
【００６５】
画像制御ＣＰＵ６６は、ステップＳＡ７で、チェック対象の用紙に対して設定された印刷条件で取得した総印刷回数Ｄｄとジャム発生回数Ｄｅから算出したジャム発生率Ｅが、警告閾値Ｔｈ以上であるか判断する。
【００６６】
画像制御ＣＰＵ６６は、上述したステップＳＡ７で、チェック対象の用紙に対して設定された印刷条件でのジャム発生率Ｅが、警告閾値Ｔｈ以上であると判断すると、ステップＳＡ８で、警告対象の印刷条件を検知したことを示す警告表示フラグをＯＮにする。
【００６７】
画像制御ＣＰＵ６６は、ステップＳＡ９で、ジャム発生率Ｅが警告閾値Ｔｈ以上であり警告対象と判断された印刷条件の設定値と、警告対象の印刷条件が設定された用紙を特定する用紙Ｎｏ．を保存する。
【００６８】
画像制御ＣＰＵ６６は、ステップＳＡ１０で、警告対象の印刷条件に対し、奨励条件を満たす近似対象の印刷条件が存在するか、奨励設定チェックを行う。なお、奨励設定チェックの詳細については後述するが、予め設定された優先順位に従い、坪量近似対象テーブル１０１と用紙種類近似対象テーブル１０２のいずれか、あるいは両方を検索して取得した近似対象の印刷条件について、奨励条件を満たすかチェックを行う。
【００６９】
そして、奨励条件を満たす近似対象の印刷条件があると、奨励対象の印刷条件を検知したことを示す奨励設定表示フラグをＯＮにし、奨励対象と判断された近似対象の印刷条件の設定値を保存する。また、奨励条件を満たす近似対象の印刷条件が無いと、奨励設定表示フラグをＯＦＦにする。
【００７０】
画像制御ＣＰＵ６６は、上述したステップＳＡ１０で奨励設定チェックを行った場合、ステップＳＡ１１で、チェックを行った用紙が最終の用紙か判断する。同様に、上述したステップＳＡ５で、チェック対象の用紙に対して設定された印刷条件での総印刷回数Ｄｄが規定値未満であると判断した場合、チェックを行った用紙が最終の用紙か判断する。また、上述したステップＳＡ７で、チェック対象の用紙に対して設定された印刷条件でのジャム発生率Ｅが警告閾値Ｔｈ未満であると判断すると、チェックを行った用紙が最終の用紙か判断する。
【００７１】
画像制御ＣＰＵ６６は、上述したステップＳＡ１１で、チェックを行った用紙が最終の用紙ではないと判断すると、ステップＳＡ１２で、チェック対象とする用紙Ｎｏ．に１を加算し、上述したステップＳＡ３〜ステップＳＡ１１までの処理を、最終の用紙まで繰り返す。
【００７２】
画像制御ＣＰＵ６６は、上述したステップＳＡ１１で、チェックを行った用紙が最終の用紙であると判断すると、ステップＳＡ１３で、警告表示フラグがＯＮであるか判断する。画像制御ＣＰＵ６６は、上述したステップＳＡ１３で、警告表示フラグがＯＮではなくＯＦＦであると判断すると、ジャム発生率のチェックを終了する。
【００７３】
画像制御ＣＰＵ６６は、上述したステップＳＡ１３で、警告表示フラグがＯＮであると判断すると、ステップＳＡ１４で、奨励設定表示フラグがＯＮであるか判断する。
【００７４】
画像制御ＣＰＵ６６は、上述したステップＳＡ１４で、奨励設定表示フラグがＯＮであると判断すると、ステップＳＡ１５で、奨励対象とした印刷条件の設定値を警告対象の印刷条件の設定値と共に液晶ディスプレイ５０に表示する。
【００７５】
画像制御ＣＰＵ６６は、上述したステップＳＡ１４で、奨励設定表示フラグがＯＮではなくＯＦＦであると判断すると、ステップＳＡ１６で、警告対象の印刷条件の設定値を液晶ディスプレイ５０に表示する。
【００７６】
（Ｂ）奨励設定チェック処理の概要
図６は、奨励設定チェック処理の一例を示すフローチャートであり、次に、奨励設定チェック処理の概要について、各図を参照して説明する。
【００７７】
画像制御ＣＰＵ６６は、ステップＳＢ１で、奨励条件を満たす近似対象の印刷条件の検索を、本例では坪量を優先して行うか用紙種類を優先して行うか判断する。
【００７８】
図７は、優先順位設定画面の一例を示す説明図である。優先順位設定画面５２は、印刷条件の奨励設定を検索する際に優先される項目が選択可能に構成され、本例では、坪量を優先する検索処理を選択させるボタン５２ａと、用紙種類を優先する検索処理を選択させるボタン５２ｂが、液晶ディスプレイ５０に表示される。
【００７９】
画像制御ＣＰＵ６６は、優先順位設定画面５２においてボタン５２ａが選択されて、坪量を優先する検索処理が選択されると、用紙種類よりも坪量を変更して奨励設定チェック処理を行うことを優先する。すなわち、図３（ａ）に示す坪量近似対象テーブル１０１に従い坪量Ｄｃを変更して、奨励設定チェック処理が終了するまでは、用紙種類を変更しての奨励設定チェック処理は行わない。
【００８０】
また、画像制御ＣＰＵ６６は、優先順位設定画面５２においてボタン５２ｂが選択されて、用紙種類を優先する検索処理が選択されると、坪量よりも用紙種類を変更して奨励設定チェック処理を行うことを優先する。すなわち、図３（ｂ）に示す用紙種類近似対象テーブル１０２に従い用紙種類Ｄｂを変更して、奨励設定チェック処理が終了するまでは、坪量を変更しての奨励設定チェック処理は行わない。
【００８１】
このように、奨励条件を満たす近似対象の印刷条件の検索を、例えば、坪量を優先して行うか用紙種類を優先して行うかを設定できるようにすることで、ユーザの使用状況等に応じて、適切な近似対象の印刷条件を取得できる。
【００８２】
画像制御ＣＰＵ６６は、上述したステップＳＢ１で、優先順位設定画面５２においてボタン５２ａが選択されて、坪量を優先して検索処理を行うと判断すると、ステップＳＢ２で、警告対象の印刷条件に対し、坪量を変更して奨励条件を満たす近似対象の印刷条件が存在するか、坪量奨励設定チェックを行う。なお、坪量奨励設定チェックの詳細については後述するが、予め設定された検索規則に従い、坪量近似対象テーブル１０１を検索して取得した近似対象の印刷条件について、奨励条件を満たすかチェックを行う。
【００８３】
そして、坪量を変更して奨励条件を満たす近似対象の印刷条件があると、奨励対象の印刷条件を検知したことを示す奨励設定表示フラグをＯＮにする。また、坪量を変更しても奨励条件を満たす近似対象の印刷条件が無いと、奨励設定表示フラグをＯＦＦにする。
【００８４】
画像制御ＣＰＵ６６は、ステップＳＢ３で、坪量奨励設定チェックの結果、奨励設定表示フラグがＯＦＦであるか判断する。画像制御ＣＰＵ６６は、上述したステップＳＢ３で、奨励設定表示フラグがＯＦＦであると、坪量奨励設定チェックでは奨励対象の印刷条件が無いと判断する。
【００８５】
そして、画像制御ＣＰＵ６６は、ステップＳＢ４で、警告対象の印刷条件に対し、用紙種類を変更して奨励条件を満たす近似対象の印刷条件が存在するか、用紙種類奨励設定チェックを行う。なお、用紙種類奨励設定チェックの詳細については後述するが、予め設定された優先順位に従い、用紙種類近似対象テーブル１０２を検索して取得した近似対象の印刷条件について、奨励条件を満たすかチェックを行う。
【００８６】
そして、用紙種類を変更して奨励条件を満たす近似対象の印刷条件があると、奨励対象の印刷条件を検知したことを示す奨励設定表示フラグをＯＮにする。また、用紙種類を変更しても奨励条件を満たす近似対象の印刷条件が無いと、奨励設定表示フラグをＯＦＦにする。
【００８７】
画像制御ＣＰＵ６６は、上述したステップＳＢ１で、優先順位設定画面５２においてボタン５２ｂが選択されて、用紙種類を優先して検索処理を行うと判断すると、ステップＳＢ５で、警告対象の印刷条件に対し、用紙種類奨励設定チェックを行う。
【００８８】
画像制御ＣＰＵ６６は、ステップＳＢ６で、用紙種類奨励設定チェックの結果、奨励設定表示フラグがＯＦＦであるか判断する。画像制御ＣＰＵ６６は、上述したステップＳＢ６で、奨励設定表示フラグがＯＦＦであると、用紙種類奨励設定チェックでは奨励対象の印刷条件が無いと判断し、ステップＳＢ７で、警告対象の印刷条件に対し、坪量奨励設定チェックを行う。
【００８９】
画像制御ＣＰＵ６６は、上述したステップＳＢ４で、用紙種類奨励設定チェックを行うと、ステップＳＢ８で、奨励設定表示フラグがＯＮであるか判断する。同様に、上述したステップＳＢ７で、坪量奨励設定チェックを行うと、ステップＳＢ８で、奨励設定表示フラグがＯＮであるか判断する。
【００９０】
画像制御ＣＰＵ６６は、上述したステップＳＢ８で、奨励設定表示フラグがＯＮであると判断すると、坪量奨励設定チェックまたは用紙種類奨励設定チェックで、奨励対象の印刷条件を検知したと判断する。そして、ステップＳＢ９で、奨励対象と判断された近似対象の印刷条件の設定値と、この近似対象の印刷条件を検索した警告対象の印刷条件が設定された用紙を特定する用紙Ｎｏ．を保存し、奨励設定チェック処理を終了する。
【００９１】
また、画像制御ＣＰＵ６６は、上述したステップＳＢ８で、奨励設定表示フラグがＯＮではなくＯＦＦであると判断すると、奨励対象の印刷条件が無いと判断して、奨励設定チェック処理を終了する。
【００９２】
（Ｃ）坪量奨励設定チェック処理の概要
図８〜図１０は、坪量奨励設定チェック処理の一例を示すフローチャートであり、まず、図８を参照して、坪量奨励設定チェック処理の概要について説明する。
【００９３】
画像制御ＣＰＵ６６は、ステップＳＣ１で、図３（ａ）に示す坪量近似対象テーブル１０１を検索して、警告対象である印刷条件で設定された坪量Ｄｃより、１段階大きい坪量Ｄｃを取得し、坪量奨励設定チェック処理を行う。坪量を１段階大きくしての坪量奨励設定チェック処理では、坪量を１段階大きくして奨励条件を満たす近似対象の印刷条件があると、奨励設定表示フラグをＯＮにする。また、坪量を１段階大きくしても奨励条件を満たす近似対象の印刷条件が無いと、奨励設定表示フラグをＯＦＦにする。
【００９４】
画像制御ＣＰＵ６６は、ステップＳＣ２で、奨励設定表示フラグがＯＦＦであるか判断する。画像制御ＣＰＵ６６は、上述したステップＳＣ２で、奨励設定表示フラグがＯＦＦであると判断すると、ステップＳＣ３で、図３（ａ）に示す坪量近似対象テーブル１０１を検索して、当初の警告対象である印刷条件で設定された坪量Ｄｃより、１段階小さい坪量Ｄｃを取得し、坪量奨励設定チェック処理を行う。
【００９５】
そして、坪量を１段階小さくして奨励条件を満たす近似対象の印刷条件があると、奨励設定表示フラグをＯＮにして、坪量奨励設定チェック処理を終了する。また、坪量を１段階小さくしても奨励条件を満たす近似対象の印刷条件が無いと、奨励設定表示フラグをＯＦＦにして、坪量奨励設定チェック処理を終了する。更に、上述したステップＳＣ２で、奨励設定表示フラグがＯＦＦではなくＯＮであると判断すると、奨励条件を満たす近似対象の印刷条件があるので、坪量奨励設定チェック処理を終了する。
【００９６】
（Ｄ）坪量を大きくしての坪量奨励設定チェック処理
次に、図９を参照して、坪量を１段階大きくしての坪量奨励設定チェック処理について説明する。
【００９７】
画像制御ＣＰＵ６６は、ステップＳＤ１で、図３（ａ）に示す坪量近似対象テーブル１０１を検索して、警告対象である印刷条件で設定された坪量Ｄｃより、１段階大きい坪量Ｄｃがあるか判断する。
【００９８】
画像制御ＣＰＵ６６は、上述したステップＳＤ１で、警告対象である坪量Ｄｃより１段階大きい坪量Ｄｃがあると判断すると、ステップＳＤ２で、この１段階大きい坪量Ｄｃを近似対象の印刷条件として取得する。画像制御ＣＰＵ６６は、上述したステップＳＤ１で、警告対象である坪量Ｄｃより１段階大きい坪量Ｄｃが無いと判断すると、近似対象となる坪量が存在せず、奨励対象の条件を満たす印刷条件が無いと判断して、坪量を１段階大きくしての坪量奨励設定チェック処理を終了する。
【００９９】
画像制御ＣＰＵ６６は、ステップＳＤ３で、近似対象の印刷条件として取得した警告対象である坪量より１段階大きい坪量Ｄｃと、当初設定の印字率Ｄａ及び用紙種類Ｄｂの組み合わせで特定される印刷条件で管理テーブル１００を検索する。そして、印字率Ｄａと用紙種類Ｄｂを固定して坪量Ｄｃを１段階大きくした印刷条件に該当する総印刷回数Ｄｄとジャム発生回数Ｄｅを取得する。
【０１００】
画像制御ＣＰＵ６６は、ステップＳＤ４で、印字率Ｄａと用紙種類Ｄｂを固定して坪量Ｄｃを１段階大きくした印刷条件でのジャム発生率Ｅを、上述した（１）式で算出する。
【０１０１】
画像制御ＣＰＵ６６は、ステップＳＤ５で、印字率Ｄａと用紙種類Ｄｂを固定して坪量Ｄｃを１段階大きくした印刷条件での総印刷回数Ｄｄが、規定値以上であるか判断する。
【０１０２】
画像制御ＣＰＵ６６は、上述したステップＳＤ５で、総印刷回数Ｄｄが規定値未満であると判断すると、坪量を１段階大きくしての坪量奨励設定チェック処理を終了する。
【０１０３】
画像制御ＣＰＵ６６は、上述したステップＳＤ５で、総印刷回数Ｄｄが規定値以上であると判断すると、ステップＳＤ６で、印字率Ｄａと用紙種類Ｄｂを固定して坪量Ｄｃを１段階大きくした印刷条件でのジャム発生率Ｅが、警告閾値Ｔｈ以上であるか判断する。
【０１０４】
画像制御ＣＰＵ６６は、上述したステップＳＤ６で、ジャム発生率Ｅが警告閾値Ｔｈ以上であると判断すると、坪量を１段階大きくしての坪量奨励設定チェック処理を終了する。
【０１０５】
画像制御ＣＰＵ６６は、上述したステップＳＤ６で、ジャム発生率Ｅが警告閾値Ｔｈ未満であると判断すると、ステップＳＤ７で、奨励対象の印刷条件を検知したことを示す奨励設定表示フラグをＯＮにして、坪量を１段階大きくしての坪量奨励設定チェック処理を終了する。
【０１０６】
（Ｅ）坪量を小さくしての坪量奨励設定チェック処理
次に、図１０を参照して、坪量を１段階小さくしての坪量奨励設定チェック処理について説明する。
【０１０７】
画像制御ＣＰＵ６６は、ステップＳＥ１で、図３（ａ）に示す坪量近似対象テーブル１０１を検索して、警告対象である印刷条件で設定された坪量Ｄｃより、１段階小さい坪量Ｄｃがあるか判断する。
【０１０８】
画像制御ＣＰＵ６６は、上述したステップＳＥ１で、警告対象である坪量Ｄｃより１段階小さい坪量Ｄｃがあると判断すると、ステップＳＥ２で、この１段階小さい坪量Ｄｃを近似対象の印刷条件として取得する。画像制御ＣＰＵ６６は、上述したステップＳＤ１で、警告対象である坪量Ｄｃより１段階小さい坪量Ｄｃが無いと判断すると、近似対象となる坪量が存在せず、奨励対象の条件を満たす印刷条件が無いと判断して、坪量を１段階小さくしての坪量奨励設定チェック処理を終了する。
【０１０９】
画像制御ＣＰＵ６６は、ステップＳＥ３で、近似対象の印刷条件として取得した警告対象である坪量より１段階小さい坪量Ｄｃと、当初設定の印字率Ｄａ及び用紙種類Ｄｂの組み合わせで特定される印刷条件で管理テーブル１００を検索する。そして、印字率Ｄａと用紙種類Ｄｂを固定して坪量Ｄｃを１段階小さくした印刷条件に該当する総印刷回数Ｄｄとジャム発生回数Ｄｅを取得する。
【０１１０】
画像制御ＣＰＵ６６は、ステップＳＥ４で、印字率Ｄａと用紙種類Ｄｂを固定して坪量Ｄｃを１段階小さくした印刷条件でのジャム発生率Ｅを、上述した（１）式で算出する。
【０１１１】
画像制御ＣＰＵ６６は、ステップＳＥ５で、印字率Ｄａと用紙種類Ｄｂを固定して坪量Ｄｃを１段階小さくした印刷条件での総印刷回数Ｄｄが、規定値以上であるか判断する。
【０１１２】
画像制御ＣＰＵ６６は、上述したステップＳＥ５で、総印刷回数Ｄｄが規定値未満であると判断すると、坪量を１段階小さくしての坪量奨励設定チェック処理を終了する。
【０１１３】
画像制御ＣＰＵ６６は、上述したステップＳＥ５で、総印刷回数Ｄｄが規定値以上であると判断すると、ステップＳＥ６で、印字率Ｄａと用紙種類Ｄｂを固定して坪量Ｄｃを１段階小さくした印刷条件でのジャム発生率Ｅが、警告閾値Ｔｈ以上であるか判断する。
【０１１４】
画像制御ＣＰＵ６６は、上述したステップＳＥ６で、ジャム発生率Ｅが警告閾値Ｔｈ以上であると判断すると、坪量を１段階小さくしての坪量奨励設定チェック処理を終了する。
【０１１５】
画像制御ＣＰＵ６６は、上述したステップＳＥ６で、ジャム発生率Ｅが警告閾値Ｔｈ未満であると判断すると、ステップＳＥ７で、奨励対象の印刷条件を検知したことを示す奨励設定表示フラグをＯＮにして、坪量を１段階小さくしての坪量奨励設定チェック処理を終了する。
【０１１６】
（Ｆ）用紙種類奨励設定チェック処理
図１１は、用紙種類奨励設定チェック処理の一例を示すフローチャートであり、次に、各図を参照して、用紙種類奨励設定チェック処理について説明する。
【０１１７】
画像制御ＣＰＵ６６は、ステップＳＦ１で、図３（ｂ）に示す用紙種類近似対象テーブル１０２を検索して、警告対象である印刷条件で設定された用紙種類Ｄｂの項目を選択する。
【０１１８】
画像制御ＣＰＵ６６は、ステップＳＦ２で、用紙種類近似対象テーブル１０２で検索した警告対象である用紙種類Ｄｂの項目において、近似対象Ｎｏ．が付与された近似対象の用紙種類が存在するか判断する。画像制御ＣＰＵ６６は、上述したステップＳＦ２で、近似対象Ｎｏ．が付与された近似対象の用紙種類が存在しないと判断すると、奨励対象の条件を満たす印刷条件が無いと判断して、用紙種類奨励設定チェック処理を終了する。
【０１１９】
画像制御ＣＰＵ６６は、上述したステップＳＦ２で、警告対象である用紙種類の項目に、近似対象Ｎｏ．が付与された近似対象の用紙種類が存在すると判断すると、ステップＳＦ３で、警告対象である用紙種類Ｄｂの項目において、優先順位がＭ番である近似対象Ｎｏ．Ｍの用紙種類を近似対象として取得する。まず、優先順位が１番である近似対象Ｎ０．１の用紙種類を近似対象とする。
【０１２０】
そして、画像制御ＣＰＵ６６は、近似対象の印刷条件として取得した優先順位がＭ番である用紙種類Ｄｂと、当初設定の印字率Ｄａ及び坪量Ｄｃの組み合わせで特定される印刷条件で管理テーブル１００を検索する。そして、印字率Ｄａと坪量Ｄｃを固定して用紙種類近似対象テーブル１０２に従い用紙種類Ｄｂを変更した印刷条件に該当する総印刷回数Ｄｄとジャム発生回数Ｄｅを取得する。
【０１２１】
画像制御ＣＰＵ６６は、ステップＳＦ４で、印字率Ｄａと坪量Ｄｃを固定して用紙種類Ｄｂを変更した印刷条件でのジャム発生率Ｅを、上述した（１）式で算出する。
【０１２２】
画像制御ＣＰＵ６６は、ステップＳＦ５で、印字率Ｄａと坪量Ｄｃを固定して用紙種類Ｄｂを変更した印刷条件での総印刷回数Ｄｄが、規定値以上であるか判断する。
【０１２３】
画像制御ＣＰＵ６６は、上述したステップＳＦ５で、総印刷回数Ｄｄが規定値未満であると判断すると、ステップＳＦ６で、近似対象Ｎｏ．に１を加算し、上述したステップＳＦ２に戻る。
【０１２４】
画像制御ＣＰＵ６６は、上述したステップＳＦ５で、総印刷回数Ｄｄが規定値以上であると判断すると、ステップＳＦ７で、印字率Ｄａと坪量Ｄｃを固定して用紙種類Ｄｂを変更した印刷条件でのジャム発生率Ｅが、警告閾値Ｔｈ以上であるか判断する。
【０１２５】
画像制御ＣＰＵ６６は、上述したステップＳＦ７で、ジャム発生率Ｅが警告閾値Ｔｈ以上であると判断すると、上述したステップＳＦ６で、近似対象Ｎｏ．に１を加算し、上述したステップＳＦ２に戻り、ジャム発生率Ｅと警告閾値Ｔｈとの比較判断を、近似対象Ｎｏ．が付与された近似対象の用紙種類が存在しなくなるまで繰り返す。
【０１２６】
画像制御ＣＰＵ６６は、上述したステップＳＦ７で、ジャム発生率Ｅが警告閾値Ｔｈ未満であると判断すると、ステップＳＥ８で、奨励対象の印刷条件を検知したことを示す奨励設定表示フラグをＯＮにして、用紙種類奨励設定チェック処理を終了する。
【０１２７】
（Ｇ）管理テーブルの更新処理
次に、管理テーブル１００の更新について説明する。画像制御ＣＰＵ６６は、プリンタ部４で印刷を実行する毎に、印字率Ｄａと用紙種類Ｄｂ及び坪量Ｄｃで特定される管理テーブル１００の該当する印刷条件の総印刷回数Ｄｄを１増加させる。また、印刷を実行してジャムが発生すると、管理テーブル１００の該当する印刷条件のジャム発生回数Ｄｅを１増加させる。
【０１２８】
ここで、管理テーブル１００では、ジャム発生回数Ｄｅは、プリンタ部４の図示しない定着器等のジャムセンサ搭載箇所毎に管理しており、図２に示す管理テーブル１００のジャム発生回数Ｄｅは、以下の（２）式に示すように、各ジャムセンサ搭載箇所Ｓ１〜Ｓｎで検出したジャム発生回数Ｄｅ１〜Ｄｅｎの総和となる。
【０１２９】
【数２】
2012101518.tif 000004
【０１３０】
図１２は、ジャム発生回数の再計算処理の一例を示すフローチャートである。プリンタ部４で部品の交換が実施されると、画像制御ＣＰＵ６６は、ステップＳＧ１で、交換された部品におけるジャムセンサ搭載箇所Ｓｍでのジャム発生回数Ｄｅｍを０にクリアし、ステップＳＧ２で、以下の（３）式に示すように、ジャム発生回数Ｄｅを再計算する。
【０１３１】
例えば、ジャムセンサ搭載箇所Ｓ１が、図示しない定着器におけるジャムセンサの搭載箇所であるとすると、（３）式では、（２）式におけるジャム発生回数Ｄｅ１を０にクリアして、ジャム発生回数Ｄｅを再計算する。
【０１３２】
【数３】
2012101518.tif 000005
【０１３３】
（Ｈ）坪量を優先した奨励設定チェック処理の具体例
次に、坪量を優先した奨励設定チェック処理の具体例について、各図を参照して説明する。警告対象の印刷条件として、坪量Ｄｃが「８１〜１０５ｇ／ｍ２」、用紙種類Ｄｂが「普通紙」であるとする。
【０１３４】
画像制御ＣＰＵ６６は、坪量を優先した奨励設定チェック処理では、図８〜１０に示すフローチャートで説明したように、図３（ａ）に示す坪量近似対象テーブル１０１を検索して、まず、警告対象である印刷条件で設定された坪量Ｄｃより、１段階大きい坪量Ｄｃを取得し、奨励設定チェック処理を行う。
【０１３５】
本例では、坪量Ｄｃを「８１〜１０５ｇ／ｍ２」より１段階大きい「１０６〜１３５ｇ／ｍ２」とする。そして、坪量Ｄｃが「１０６〜１３５ｇ／ｍ２」、用紙種類Ｄｂが「普通紙」である印刷条件を第１の近似対象の印刷条件として、奨励設定チェック処理を行う。
【０１３６】
上述した第１の近似対象の印刷条件におけるジャム発生率Ｅが奨励条件を満たすと、奨励設定表示フラグをＯＮにして奨励設定チェック処理を終了する。また、第１の近似対象の印刷条件におけるジャム発生率Ｅが奨励条件を満たさないと、第２の近似対象の印刷条件を取得する。
【０１３７】
本例では、坪量Ｄｃを当初設定値である「８１〜１０５ｇ／ｍ２」より１段階小さい「７５〜８０ｇ／ｍ２」とする。そして、坪量Ｄｃが「７５〜８０ｇ／ｍ２」、用紙種類Ｄｂが「普通紙」である印刷条件を第２の近似対象の印刷条件として、奨励設定チェック処理を行う。
【０１３８】
上述した第２の近似対象の印刷条件におけるジャム発生率Ｅが奨励条件を満たすと、奨励設定表示フラグをＯＮにして奨励設定チェック処理を終了する。また、第２の近似対象の印刷条件におけるジャム発生率Ｅが奨励条件を満たさないと、坪量を優先した奨励設定チェック処理から用紙種類を優先した奨励設定チェック処理に移行する。
【０１３９】
用紙種類を優先した奨励設定チェック処理では、図１２に示すフローチャートで説明したように、図３（ｂ）に示す用紙種類近似対象テーブル１０２を検索して、警告対象である印刷条件で設定された用紙種類Ｄｂが「普通紙」である項目を選択する。
【０１４０】
そして、用紙種類Ｄｂが「普通紙」項目で、近似対象Ｎｏ．１の用紙種類Ｄｂを取得し、奨励設定チェック処理を行う。本例では、用紙種類Ｄｂを「上質紙」とする。そして、坪量Ｄｃが当初設定値の「８１〜１０５ｇ／ｍ２」、用紙種類Ｄｂが「上質紙」である印刷条件を第３の近似対象の印刷条件として、奨励設定チェック処理を行う。
【０１４１】
上述した第３の近似対象の印刷条件におけるジャム発生率Ｅが奨励条件を満たすと、奨励設定表示フラグをＯＮにして奨励設定チェック処理を終了する。また、第３の近似対象の印刷条件におけるジャム発生率Ｅが奨励条件を満たさないと、第４の近似対象の印刷条件を取得する。
【０１４２】
本例では、用紙種類Ｄｂを近似対象Ｎｏ．２の用紙種類である「マット紙」とする。そして、坪量Ｄｃが当初設定値の「８１〜１０５ｇ／ｍ２」、用紙種類Ｄｂが「マット紙」である印刷条件を第４の近似対象の印刷条件として、奨励設定チェック処理を行う。
【０１４３】
上述した第４の近似対象の印刷条件におけるジャム発生率Ｅが奨励条件を満たすと、奨励設定表示フラグをＯＮにして奨励設定チェック処理を終了する。また、第４の近似対象の印刷条件におけるジャム発生率Ｅが奨励条件を満たさないと、第５の近似対象の印刷条件を取得する。
【０１４４】
本例では、用紙種類Ｄｂを近似対象Ｎｏ．３の用紙種類である「カラー用紙」とする。そして、坪量Ｄｃが当初設定値の「８１〜１０５ｇ／ｍ２」、用紙種類Ｄｂが「カラー用紙」である印刷条件を第５の近似対象の印刷条件として、奨励設定チェック処理を行う。
【０１４５】
上述した第５の近似対象の印刷条件におけるジャム発生率Ｅが奨励条件を満たすと、奨励設定表示フラグをＯＮにして奨励設定チェック処理を終了する。また、第５の近似対象の印刷条件におけるジャム発生率Ｅが奨励条件を満たさないと、警告対処の用紙種類Ｄｂが「普通紙」項目で、近似対象Ｎｏ．４の用紙種類Ｄｂが存在しないので、奨励設定無しとして扱う。
【０１４６】
（Ｉ）用紙種類を優先した奨励設定チェック処理の具体例
次に、用紙種類を優先した奨励設定チェック処理の具体例について、各図を参照して説明する。警告対象の印刷条件として、坪量Ｄｃが「６４〜７４ｇ／ｍ２」、用紙種類Ｄｂが「上質紙」であるとする。
【０１４７】
画像制御ＣＰＵ６６は、用紙種類を優先した奨励設定チェック処理では、図３（ｂ）に示す用紙種類近似対象テーブル１０２を検索して、警告対象である印刷条件で設定された用紙種類Ｄｂが「上質紙」である項目を選択する。
【０１４８】
そして、用紙種類Ｄｂが「上質紙」項目で、近似対象Ｎｏ．１の用紙種類Ｄｂを取得し、奨励設定チェック処理を行う。本例では、用紙種類Ｄｂを「マット紙」とする。そして、坪量Ｄｃが当初設定値の「６４〜７４ｇ／ｍ２」、用紙種類Ｄｂが「マット紙」である印刷条件を第１の近似対象の印刷条件として、奨励設定チェック処理を行う。
【０１４９】
上述した第１の近似対象の印刷条件におけるジャム発生率Ｅが奨励条件を満たすと、奨励設定表示フラグをＯＮにして奨励設定チェック処理を終了する。また、第１の近似対象の印刷条件におけるジャム発生率Ｅが奨励条件を満たさないと、第２の近似対象の印刷条件を取得する。
【０１５０】
本例では、用紙種類Ｄｂを近似対象Ｎｏ．２の用紙種類である「普通紙」とする。そして、坪量Ｄｃが当初設定値の「６４〜７４ｇ／ｍ２」、用紙種類Ｄｂが「普通紙」である印刷条件を第２の近似対象の印刷条件として、奨励設定チェック処理を行う。
【０１５１】
上述した第２の近似対象の印刷条件におけるジャム発生率Ｅが奨励条件を満たすと、奨励設定表示フラグをＯＮにして奨励設定チェック処理を終了する。また、第２の近似対象の印刷条件におけるジャム発生率Ｅが奨励条件を満たさないと、第３の近似対象の印刷条件を取得する。
【０１５２】
本例では、用紙種類Ｄｂを近似対象Ｎｏ．３の用紙種類である「カラー用紙」とする。そして、坪量Ｄｃが当初設定値の「６４〜７４ｇ／ｍ２」、用紙種類Ｄｂが「カラー用紙」である印刷条件を第３の近似対象の印刷条件として、奨励設定チェック処理を行う。
【０１５３】
上述した第３の近似対象の印刷条件におけるジャム発生率Ｅが奨励条件を満たすと、奨励設定表示フラグをＯＮにして奨励設定チェック処理を終了する。また、第３の近似対象の印刷条件におけるジャム発生率Ｅが奨励条件を満たさないと、警告対処の用紙種類Ｄｂが「上質紙」項目で、近似対象Ｎｏ．４の用紙種類Ｄｂが存在しないので、用紙種類を優先した奨励設定チェック処理から坪量を優先した奨励設定チェック処理に移行する。
【０１５４】
坪量を優先した奨励設定チェック処理では、図３（ａ）に示す坪量近似対象テーブル１０１を検索して、警告対象である印刷条件で設定された坪量Ｄｃより、１段階大きい坪量Ｄｃを取得し、奨励設定チェック処理を行う。
【０１５５】
本例では、坪量Ｄｃを「６４〜７４ｇ／ｍ２」より１段階大きい「７５〜８５ｇ／ｍ２」とする。そして、坪量Ｄｃが「７５〜８５ｇ／ｍ２」、用紙種類Ｄｂが当初設定値の「普通紙」である印刷条件を第４の近似対象の印刷条件として、奨励設定チェック処理を行う。
【０１５６】
上述した第４の近似対象の印刷条件におけるジャム発生率Ｅが奨励条件を満たすと、奨励設定表示フラグをＯＮにして奨励設定チェック処理を終了する。また、第４の近似対象の印刷条件におけるジャム発生率Ｅが奨励条件を満たさないと、近似対象の坪量Ｄｃとして、当初設定値である「６４〜７４ｇ／ｍ２」より１段階小さい設定値が存在しないので、奨励設定無しとして扱う。
【０１５７】
（Ｊ）画面表示例
図１３〜図１６は、画面表示例を示す説明図である。図１３は、用紙種類Ｄｂ及び坪量Ｄｃ等が設定されるジョブチケット編集画面と称される設定画面５３を示す。
【０１５８】
図１４は、上述した奨励設定チェック処理で奨励対象の印刷条件が検知された場合に、奨励対象と警告対象の印刷条件の設定値が表示される奨励警告画面５４を示す。奨励警告画面５４では、警告対象の印刷条件が設定された用紙を特定する用紙Ｎｏ．と、警告対象の印刷条件の設定値と、奨励対象と判断された近似対象の印刷条件の設定値が表示される。
【０１５９】
本例では、設定画面５３に設けられたエラーチェックボタン５３ａが、色が変わる等により強調表示され、設定画面５３の上に、別ウィンドウで奨励警告画面５４が表示される。奨励警告画面５４では、印刷条件の変更を促す文言と、印刷条件の変更の許可、不許可を選択させる確認ボタン５４ａが表示される。そして、奨励警告画面５４で印刷条件の変更を許可する確認ボタン５４ａが操作されると、画像制御ＣＰＵ６６は、印刷条件を奨励対象と判断された近似対象の印刷条件に置き換えて、画像形成処理を行う。
【０１６０】
図１５は、上述した奨励設定チェック処理で奨励対象の印刷条件が検知された場合に、奨励対象と警告対象の印刷条件の設定値が表示される奨励警告画面５５を示す。
【０１６１】
奨励設定チェック処理で奨励対象の印刷条件が検知された場合に、画像形成装置１の図示しない用紙トレイに、該当する用紙種類や坪量の用紙がセットされていない場合がある。このような場合は、奨励警告画面５５では、警告対象の印刷条件が設定された用紙を特定する用紙Ｎｏ．と、警告対象の印刷条件の設定値と、奨励対象と判断された近似対象の印刷条件の設定値が表示される。更に、奨励対象の用紙種類あるいは坪量の用紙のセットを促す誘導文言が表示される。
【０１６２】
本例でも、設定画面５３に設けられたエラーチェックボタン５３ａが、色が変わる等により強調表示され、設定画面５３の上に、別ウィンドウで奨励警告画面５５が表示される。奨励警告画面５５では、印刷条件の変更を促す文言と、印刷条件の変更の許可、不許可を選択させる確認ボタン５５ａが表示される。そして、奨励対象の用紙種類あるいは坪量の用紙のセットが確認され、奨励警告画面５５で印刷条件の変更を許可する確認ボタン５５ａが操作されると、画像制御ＣＰＵ６６は、印刷条件を奨励対象と判断された近似対象の印刷条件に置き換えて、画像形成処理を行う。
【０１６３】
図１６は、上述した奨励設定チェック処理で奨励対象の印刷条件が無い場合に、警告対象の印刷条件の設定値が表示される警告画面５６を示す。本例では、設定画面５３に設けられたエラーチェックボタン５３ａが、色が変わる等により強調表示され、設定画面５３の上に、別ウィンドウで警告画面５６が表示される。警告画面５６では、警告対象の印刷条件が設定された用紙を特定する用紙Ｎｏ．と、警告対象の印刷条件の設定値が表示される。
【産業上の利用可能性】
【０１６４】
本発明は、用紙の紙種や坪量等が設定可能な画像形成装置に適用される。
【符号の説明】
【０１６５】
１・・・画像形成装置、２・・・画像処理部、３・・・スキャナ部、４・・・プリンタ部、５・・・操作部、６・・・制御部、６６・・・画像制御ＣＰＵ、６７・・・不揮発メモリ、１００・・・管理テーブル、１０１・・・坪量近似対象テーブル、１０２・・・用紙種類近似対象テーブル
【図１】
2012101518.tif 000006
【図２】
2012101518.tif 000007
【図３】
2012101518.tif 000008
【図４】
2012101518.tif 000009
【図５】
2012101518.tif 000010
【図６】
2012101518.tif 000011
【図７】
2012101518.tif 000012
【図８】
2012101518.tif 000013
【図９】
2012101518.tif 000014
【図１０】
2012101518.tif 000015
【図１１】
2012101518.tif 000016
【図１２】
2012101518.tif 000017
【図１３】
2012101518.tif 000018
【図１４】
2012101518.tif 000019
【図１５】
2012101518.tif 000020
【図１６】
2012101518.tif 000021